(57)【要約】      （修正有）【課題】従来の開口部内に設置される引き戸に設置される引き戸錠と同様な操作部を用いることにより違和感なく且つ操作性にも優れ、特に引き戸への取り付けに熟練を要さず、同一の構成部材を用いて右引き用または左引き用の引き戸に合わせて装着できる便利で経済的なアウトセット引き戸用錠を提供する。【解決手段】引き戸１の戸先１１に形成された彫り込み１２に埋設される第１のケース体２１に収容される操作部材２と、彫り込み１２に第１のケース体２１に並べて埋設される第２のケース体３１に収容される操作部材２の操作により作動する錠部材３とからなり、操作部材２の施錠具４１を操作することで連動機構を介してスライド部材を縦方向に往復動させ、スライド部材に連動して施錠片３８を第２のケース体３１の前壁３０１から前後方向へ出没させた。【選択図】図１
2011052467.tif 000002
【特許請求の範囲】
【請求項１】
引き戸の戸先に形成された彫り込みに埋設される第１のケース体に収容される操作部材と、前記彫り込みに前記第１のケース体に並べて埋設される第２のケース体に収容される前記操作部材の操作により作動する錠部材とからなり、
前記操作部材には前記第１のケース体にスライドまたは回転する施錠具が配置されているとともに第１のケース体の内部に前記施錠具に連結して前記第１のケース体における前記引き戸の閉じ側に位置する側壁から突出した連結杆を縦方向に往復動させる連動機構が収納されており、
操作部材の連結杆を挿通係止する前記錠部材には前記第２のケース体における側壁に形成した横方向へ延びる長孔に連通して前記操作部材の連結杆を挿通係止する係止孔を有して縦方向に往復動可能なスライド部材と前記スライド部材に連動して前記第２のケース体の前壁から施錠片を前後方向へ出没させることを特徴とするアウトセット引き戸用錠。
【請求項２】
前記錠部材を形成する前記第２のケース体における側壁に形成した前記スライド部材に形成される操作部材の連結杆を挿通係止する係止孔に連通する横方向へ延びる長孔が左右の両側壁に形成されていることを特徴とする請求項１に記載のアウトセット引き戸用錠。
【請求項３】
前記錠部材に前記スライド部材の移動を規制して施錠片の出没を制御する第２のケース体の前壁から前後方向へ出没させるトリガが付設されており、前記引き戸が所定の閉じ位置にある場合に前記トリガが作用して施錠可能となり、前記引き戸が所定の閉じ位置にない場合には施錠片の移動を制限することを特徴とする請求項１または２に記載のアウトセット引き戸用錠。
【請求項４】
前記操作部材と錠部材とが引き戸の戸先から螺締する止めネジにより一体的に装着されることを特徴とする請求項１，２または３に記載のアウトセット引き戸用錠。
【発明の詳細な説明】
【技術分野】
【０００１】
本発明は、アウトセット（外付け）引き戸に用いる錠に関するものである。
【背景技術】
【０００２】
家屋の開口部に外付けにより取り付けられるアウトセット（外付け）引き戸が知られており、開口部の内部に設置する引き戸に比べて簡易に設置することかできることから近頃、改造や新築家屋において多用されている。
【０００３】
ところで、アウトセット引き戸は従来の開口部の内側に装着される引き戸と異なり従来の引き戸の閉じ方向に施錠するタイプの施錠片を有する錠をそのまま使用することができない。
【０００４】
そこで、引き戸の閉じ方向に直交する方向（引き戸の前後方向）に出没する施錠片を支柱などに係止する施錠片を有するアウトセット引き戸用の錠が例えば特開平２−１４４４８３号公報、特開２００７−１３８６４２号公報等に提示されている。
【０００５】
ところが、前記公報に提示されているアウトセット引き戸に用いられる錠は、主として引き違い戸に係止するものであり、柱に係止するものでなく、操作部の外観も従来の開口部に設置されるものと異なり違和感があったり操作がし難いという問題がある。
【０００６】
また、前記公報に提示されているものは右引き用または左引き用の引き戸に合わせて設計したものであり、１つの種類で開き戸のタイプに合わせて２種類のものを提供する必要があり、製造・販売面で各種の負担が生じ経済面でも不利であるばかりか購入者も左右の別を確認して購入しなければならずきわめて不便であった。
【０００７】
そこで、特開２００８−２３１８０７号公報に右引き用または左引き用の引き戸に兼用することができるアウトセット引き戸用錠が提案されているが、このアウトセット引き戸用錠は、ケース内に収容した斜めの誘導孔を形成した変換具の組み付け方向を変位させるものであり、工場で生産するときに位置を変えて組み立てることはできるので便利であるが、組み立てた製品を後から右引き用または左引き用の引き戸に合わせてガイド板の方向を変えることはできず、結局は従来と同様に右引き用または左引き用の引き戸に合わせて２種類のものを製造・販売することになる。
【０００８】
加えて前記従来のアウトセット引き戸用錠は錠は何れも施錠片が柱などに形成したストライクの位置に正確に合致するようにして引き戸に取り付けなければならず、特に、通常の開口部に設置した引き戸の場合と異なり左右方向（引き戸の開閉方向）に合わせて設置する必要があり、取り付けに熟練を要することになるという問題もある。
【先行技術文献】
【特許文献】
【０００９】
【特許文献１】特開平２−１４４４８３号公報
【特許文献２】特開２００７−１３８６４２号公報
【特許文献３】特開２００８−２３１８０７号公報
【発明の概要】
【発明が解決しようとする課題】
【００１０】
本発明は前記課題を解決するためになされたものであり、従来の開口部内に設置される引き戸に設置される引き戸錠と同様な操作部を用いることにより違和感なく且つ操作性にも優れ、特に引き戸への取り付けに熟練を要さず、同一の構成部材を用いて右引き用または左引き用の引き戸に合わせて装着できる便利で経済的なアウトセット引き戸用錠を提供することを課題とする。
【課題を解決するための手段】
【００１１】
前記課題を解決するためになされた本発明であるアウトセット引き戸用錠は、引き戸の戸先に形成された彫り込みに埋設される第１のケース体に収容される操作部材と、前記彫り込みに前記第１のケース体に並べて埋設される第２のケース体に収容される前記操作部材の操作により作動する錠部材とからなり、前記操作部材には前記第１のケース体にスライドまたは回転する施錠具が配置されているとともに第１のケース体の内部に前記施錠具に連結して前記第１のケース体における前記引き戸の閉じ側に位置する側壁から突出した連結杆を縦方向に往復動させる連動機構が収納されており、操作部材の連結杆を挿通係止する前記錠部材には前記第２のケース体における側壁に形成した縦方向の長孔に連通して前記操作部材の連結杆を挿通係止する係止孔を有して縦方向に往復動可能なスライド部材と前記スライド部材に連動して前記第２のケース体の前壁から施錠片を前後方向へ出没させることを特徴とする。
【００１２】
本発明によれば、操作部材と錠部材とをそれぞれ異なる第１のケース体と第２のケース体に収納することにより、更には操作部材と錠部材との連結を左右方向（引き戸の開閉方向）に移動可能な状態に連結したことにより取り付けを容易にしている。また、操作部材として通常の開口部に配置した引き戸に装着する操作部材と同様な構成並びに外形を有するものと共通のものを提供することができ、室内全体のデザインの調和を計ることができるとともに部品の共通化を図ることもできる。
【００１３】
また、本発明において、前記錠部材を形成する前記第２のケース体における側壁に形成した前記スライド部材に形成される操作部材の連結杆を挿通係止する係止孔に連通する横方向へ延びる長孔が左右の両側壁に形成されている場合には、錠部材を前後方向へ変位させて出没させることができ、そのため、第２のケース体を前後方向へ反転させて使用することにより右引き用または左引き用の引き戸に適用することができる。
【００１４】
更に、本発明において、前記錠部材に前記スライド部材の移動を規制して施錠片の出没を制御する第２のケース体の前壁から前後方向へ出没させるトリガが付設されている場合には、引き戸が所定の閉じ位置にある場合にトリガが作用して施錠可能となり、引き戸が所定の閉じ位置にない場合には施錠片の移動を制限することになり柱や壁の損傷が防止できる。特に、本発明では操作部材と錠部材とを別体としたのでトリガーの設置が容易である。
【００１５】
更にまた、本発明において、前記操作部材と錠部材とが引き戸の戸先から螺締する止めネジにより一体的に装着される構成とすることにより、取り付けが容易且つ確実である。
【発明の効果】
【００１６】
本発明によれば、従来の開口部内に設置される引き戸に設置される引き戸錠と同様な操作部を用いることにより違和感なく且つ操作性にも優れ、特に引き戸への取り付けに熟練を要さず、同一の構成部材を用いて右引き用または左引き用の引き戸に合わせて装着することができ、きわめて便利で経済的にも有利である。
【図面の簡単な説明】
【００１７】
【図１】本発明であるアウトセット引き戸用錠の好ましい実施の形態を示す斜視図。
【図２】図１に示した実施の形態の解錠状態の操作部材を示すものであり、（ａ）は側面図、（ｂ）は縦断面図。
【図３】図１に示した実施の形態の施錠状態の操作部材を示すものであり、（ａ）は側面図、（ｂ）は縦断面図。
【図４】図１に示した実施の形態の錠部材を示すものであり、（ａ）は正面図、（ｂ）は解錠状態の縦断面図、（ｃ）は施錠状態の縦断面図、（ｄ）は解錠状態の前後方向へ反転させた縦断面図。
【図５】本発明における錠部材の異なる実施の形態を示すものであり、（ａ）は正面図、（ｂ）は解錠状態の縦断面図、（ｃ）は施錠状態の縦断面図。
【図６】本発明における操作部材の異なる実施の形態を示すものであり、（ａ）は解錠状態の縦断面図、（ｂ）は施錠状態の縦断面図。
【発明を実施するための形態】
【００１８】
図１は本発明であるアウトセット引き戸用錠の好ましい実施の形態を示すものであり、主としてアウトセットにより設置される引き戸１の閉じ側の戸先１１に形成された彫り込み１２に埋設される操作部材２とこの操作部材２の操作によりにより作動する錠部材３とから構成される。
【００１９】
そして、操作部材２は、図２および３に示すように、薄型箱状の第１のケース体２１に収容される。この第１のケース体２１は前記引き戸１の閉じ側に位置する（図示する左側）の側壁２２は上下端に後述する取付ねじの挿通孔２３，２３を形成した取付片２４，２４が突設されているとともに下方には上下方向へ所定の範囲にわたって開口した透窓２５が形成されている。
【００２０】
そして、前記ケース体２１内には、引き戸１の表面１３に取り付けられる回転式のサムターン形式の施錠具４１の操作杆４２の嵌挿孔が形成されたカム部材２７がばね部材２８を付設して軸着されているとともに、カム部材２７にはケース体２１に軸着された駆動レバー２９の駆動端が連結されているとともに駆動レバー２９の作用端が前記側壁２２に形成した透窓２５から突出させた連結杆２０１を上下方向に往復動可能に支持する移動部材２０２に連結されており、前記駆動レバー２９、ばね部材２８、移動部材２０２により第１のケース体２１の側壁２２から突出した連結杆２０１を縦方向（上下方向）に往復動させる連動機構２０３が形成されている。
【００２１】
また、前記錠部材３は、図１および図４に示すように、前記操作部材２を形成する第１のケース体２１と直交する方向へ延びる側壁３２，３２を有する第２のケース体３１に収容される。そして、前記側壁３２，３２の上下端にはには前記操作部材２を形成する第１のケース体２１の両側壁２２，２２の上下端に形成した取付ねじの挿通孔２３，２３に連通する横方向へ延びる長孔である取付ねじの挿通孔３３，３３および３３，３３が形成されている。第２のケース体３１内には前記操作部材２の側壁２２から突出させた連結杆２０１を挿通係止する横方向に延びる長孔により形成される係止孔３４を有して縦方向に往復動可能なスライド部材３５が収容されている。
【００２２】
そして、本実施の形態では前記スライド部材３５の係止孔３４はスライド部材３５を貫通して形成されており、係止孔３４の何れの側からも連結杆２０１を挿通係止可能であり、また、第２のケース体３１の両側の側壁３２，３２に前記スライド部材３５の係止孔３４を露出させるための透窓３６，３６がそれぞれ形成されている。
【００２３】
更に、第２のケース体３１内には前記スライド部材３５の上端に連結軸３７により連結された鎌状を呈する施錠片３８が軸３９により旋回可能に軸着されており、前記スライド部材３５の往復動により施錠片３８が旋回して、その先端を第２のケース体３１の前壁３０１に形成した開口部３０２から前後方向へ出没させるものであり、殊に、本実施の形態では錠部材３は左右対称に構成されている。
【００２４】
このように構成される本実施の形態は、図１に示すように、引き戸１の戸先１１に形成された掘り込み１２に操作部材２および錠部材３の順に嵌挿入し、当板５を介して取付ねじ６，６を用いて固着する。このとき、操作部材２の第１のケース体２１における側壁２２から突出させた連結杆２０１を錠部材３のスライド部材３５に形成される係止孔３４に挿通係止する。
【００２５】
そして、施錠具４１の操作杆４２を操作部材２の嵌挿孔２６に嵌挿させて引き戸１の表面１３に取り付けるとともに、引き戸１の表面１３に形成した錠部材３を形成する第２のケース体３１における前壁３０１を露出させる透窓１４に前板７を取り付ける。
【００２６】
このようにして引き戸１に取り付けられる本実施の形態は、通常は前記錠部材３が解錠状態にある。つまり、図２に示すように操作部材２における第１のケース体２１の側壁２２から突出させた連結杆２０１を上方位置として、錠部材３の施錠片３８が図４（ｂ）に示すように、第２のケース体３１に没入した状態にある。
【００２７】
そして、引き戸１を閉じた状態で前記施錠具４を閉じ方向に回転操作することにより操作部材２のカム部材２７がばね部材２８の付勢力に抗して回転し、ケース体２１に軸着された駆動レバー２９が回転して移動部材２０２を介して第１のケース体２１の側壁２２から突出した連結杆２０１が図３に示すように上方へ移動し、前記連結杆２０１が係止される鍵部材３のスライド部材３５が上方へ移動することで施錠片３８が旋回して、その先端を図４（ｃ）第２のケース体３１の前壁３０１に形成した開口部３０２から前後方向へ突出させる。
【００２８】
従って、前記突出させた施錠片３８が閉じた引き戸１に重なる柱８等に形成したストッパ部材８１に係止して施錠される。
【００２９】
また、前記施錠具４１の操作杆４２を前記施錠とは逆の解錠方向へ回転させると、前記施錠時とは逆に操作部材２のカム部材２７がばね部材２８の付勢力に抗して逆方向へと回転し、ケース体２１に軸着された駆動レバー２９が回転して移動部材２０２を介して第１のケース体２１の側壁２２から突出した連結杆２０１が図２に示すように下方へ移動し、前記連結杆２０１が係止される鍵部材３のスライド部材３５が下方へ移動することで施錠片３８が旋回して、その先端を図４（ｂ）に示すように第２のケース体３１の前壁３０１に没入した元の状態へ復帰するので前記引き戸１に形成した閉じた引き戸１に重なる柱８等に形成したストッパ部材８１への係止が解除されて解施状態となり引き戸１の開き方向への移動することができる。
【００３０】
このように本実施の形態によれば、取り付けが簡単であることはいうまでもなく、従来の施錠具４１を用いることができるばかりか錠部材３を施錠片３８が左右方向へ出没する構成のものにすることにより開口部内に設置した通常の引き戸の操作部材として共用することができる。
【００３１】
更に、本実施の形態では錠部材３が左右方向に対称に形成されている。従って、取付時に錠部材３を左右方向に反転させて（図４（ｄ）に示す状態）取り付けるだけの簡単な作業で左右何れの開き方向の引き戸にも対応させることができる。
【００３２】
図５は本発明の錠部材についての異なる実施の形態を示すものであり、全体の構成は前記図４に示した実施の形態とほぼ同様であるが、前記スライド部材３５の下端には第２のケース体３１の前壁３０１に一部を出没可能に露出させたトリガー３０３が収容されており、トリガー３０３はばね部材３０４により先端方向に付勢されて前記スライド部材３５の下端に形成された係着部３０４が係脱することにより、トリガー３０３が第２のケース体３１の前壁３０１に没入状態のときにスライド部材３５との係合が解除されてスライド部材３５が移動可能な状態、即ち、施錠片３８が旋回して先端を前壁３０１から突出させることができる状態とする点がことなるのであり、本実施の形態では施錠片３８が引き戸１から突出した状態で閉じ位置に位置することがなく、引き戸１を閉じるときに突出した状態の施錠片３８が柱などに衝突して損傷する等の心配がない。
【００３３】
更に、図６は操作部材２についての異なる実施の形態を示すものであり、前記実施の形態では回転式の施錠具４１を用いたが、本実施の形態では上下方向へスライドする形式の施錠具４３を用いた点が異なる。
【００３４】
本実施の形態に用いられる施錠具４３は、従来から用いられている引手兼用型のスライド式のものであり、スライド片４４を上下にスライドすることにより作用部材２の第１のケース体２１に備えた駆動レバー２９が第１のケース体２１の側壁２２から突出した連結杆２０１が下方位置（図６（ａ）に示す状態）と上方位置（図６（ｂ）に示す状態）へと往復動するものであり、錠部材３については前記実施の形態に用いた構成のものをそのまま使用することができ、専用の鍵部材３を設計ならびに製造する必要がなく、また、引き戸１に形成する取り付け用の掘り込み１２も同形でよくきわめて経済的であり、また、取り付けも容易である。
【００３５】
勿論、錠部材３を前後方向に反転して取り付けることにより左右何れの引き戸にも対応させることができる。
【００３６】
また、前記実施例は何れも錠部材３における施錠片３８として所謂、鎌状のものを用いたので施錠したときに引き戸１が柱８等に形成したストッパ部材８１に係止して引き寄せられて施錠されるが、前記施錠片３８としてデットボルト形式の施錠杆が前後方向へ出没するものであっても同様に実施することができるものであり、例えば同一の操作部材２を用いて異なるタイプの錠部材３を選択することもできる。
【００３７】
以上の実施の形態に示したように本発明は、それぞれ別体とした操作部材２と錠部材３とを使用目的に合わせて使用する部材や取り付け方向を選択して使用することにより少ない種類でアウトセットまたは通常の引き戸や回転やスライド操作の施錠具、など多数の使用形態に簡単に２適合することができるものである。
【符号の説明】
【００３８】
１  引き戸、２  操作部材、３  錠部材、６  止めネジ、１１  戸先、１２  彫り込み、２１  第１のケース体、２２  側壁、２３  係止孔、３４  長孔、３８  施錠片、４１  施錠具  ４３  施錠具、２０１  連結杆、２０２  スライド部材、２０３  連動機構、３０１  前壁、３０３  トリガー
【図１】
2011052467.tif 000003
【図２】
2011052467.tif 000004
【図３】
2011052467.tif 000005
【図４】
2011052467.tif 000006
【図５】
2011052467.tif 000007
【図６】
2011052467.tif 000008